(57)【要約】【課題】  浴室外への湿気流出防止に適したミストシステム及びその運転方法を提供する。【解決手段】給水ライン１７を介して供給される水道水は、熱交換器１５で温められノズル６から噴出され、浴室３内に噴霧される。ミストサウナシステム運転開始に連動して換気ファン５が稼動開始する。換気ファン５の換気量は約２０ｍ３／ｈｒ〜５０ｍ３／ｈｒに設定されている。換気ファン５の換気作用により、浴室内は微少負圧に維持される。この作用により、脱衣室４内の空気がガラリ８を経由して浴室３に流入する。浴室３内のミストを含んだ空気は、換気ファン５に吸い込まれ、排気ダクト１１を経由して外部に排出される。脱衣室４には、他の室内空間からガラリ９を介して空気が流入する。  【選択図】図１
2005204713.tif 000002
【特許請求の範囲】
【請求項１】
浴室内に設置されるミストサウナシステムであって、運転時に浴室内を微少負圧に維持する負圧維持手段を備えて成ることを特徴とするミストサウナシステム。
【請求項２】
請求項１において、さらに、運転停止後も所定の時間、浴室内を微少負圧に維持する負圧維持手段を備えて成ることを特徴とするミストサウナシステム。
【請求項３】
前記負圧維持手段は、浴室内に設置される浴室内換気ファンを含んで成ることを特徴とする請求項１又は２に記載のミストサウナシステム。
【請求項４】
前記負圧維持手段は、浴室に隣接した部屋に設置される浴室外換気ファンを含んで成ることを特徴とする請求項１又は２に記載のミストサウナシステム。
【請求項５】
前記負圧維持手段は、浴室内に設置される浴室内換気ファンと、浴室に隣接した部屋に設置される浴室外換気ファンと、を含んで成ることを特徴とする請求項１又は２に記載のミストサウナシステム。
【請求項６】
前記負圧維持手段は、さらに、浴室内に設置される外気給気口を閉鎖する手段を含んで成ることを特徴とする請求項１乃至５に記載のミストサウナシステム。
【請求項７】
請求項１乃至３、５又は６に記載のミストサウナシステムにおいて、運転時に前記浴室内換気ファンを換気量２０ｍ３／ｈｒ乃至５０ｍ３／ｈｒで稼働させることを特徴とするミストサウナシステムの運転方法。
【請求項８】
請求項１、２、４乃至６に記載のミストサウナシステムにおいて、運転時に前記浴室外換気ファンを換気量５０ｍ３／ｈｒ乃至１００ｍ３／ｈｒで稼働させることを特徴とするミストサウナシステムの運転方法。
【請求項９】
請求項１、２、５又は６に記載のミストサウナシステムにおいて、運転時に前記浴室換気ファンを換気量２０ｍ３／ｈｒ乃至５０ｍ３／ｈｒで稼働させ、かつ、前記浴室外換気ファンを換気量５０ｍ３／ｈｒ乃至１００ｍ３／ｈｒで稼働させることを特徴とするミストサウナシステムの運転方法。
【請求項１０】
請求項７乃至９において、さらに、運転時に外気給気口を閉鎖することを特徴とするミストサウナシステムの運転方法。
【請求項１１】
前記負圧維持手段は、浴室内に設置され、かつ、浴室及び少なくとも浴室に隣接する部屋を単独の換気ファンで換気可能な換気装置により構成されて成ることを特徴とする請求項１又は２に記載のミストサウナシステム。
【請求項１２】
請求項１２に記載のミストサウナシステムにおいて、運転時に前記換気装置を浴室の換気量２０ｍ３／ｈｒ乃至５０ｍ３／ｈｒ、かつ、浴室に隣接する部屋の換気量５０ｍ３／ｈｒ乃至１００ｍ３／ｈｒで稼働させることを特徴とするミストサウナシステムの運転方法。
【発明の詳細な説明】
【技術分野】
【０００１】
本発明は、ミストサウナシステム及びその運転方法に係り、特に、浴室外への湿気流出防止に適したミストサウナシステム及び運転方法に関する。
【背景技術】
【０００２】
ミストサウナシステムにおけるミスト発生手段には幾つかのタイプがあるが、給水ラインから供給される冷水を暖房回路の温水と熱交換して得られる温水を、ノズルからミスト状にして浴室に噴霧するタイプがある。ミストサウナシステムの一つの問題として、浴室ドアの開閉によりミストが脱衣室等に拡散して、室内結露、カビ発生の原因等となることが挙げられる。これを防止するためドアに開閉センサを取り付け、ドア開時はミスト運転を停止する制御手段を設けるという技術が提案されている（例えば、特開２００１−２０４７８８号公報）。
【０００３】
しかし、この方法では、ミストが直接脱衣室等に流出することは防止できるものの、浴室内に滞留している湿気については、運転後のドアの開閉とともに脱衣室等に拡散してしまうため、脱衣室等に湿気が滞留し結露等の問題は解消されない。また、常時開放されている浴室ドアガラリ、貫通口、点検口等の気密性が不十分な箇所を経由して他の部屋に湿気が流出するおそれがある。
【特許文献１】特開２００１−２０４７８８号公報
【発明の開示】
【発明が解決しようとする課題】
【０００４】
本発明はこのような問題を解決するためのものであって、ミストサウナシステム加湿に伴う湿気流出を回避する技術を提供するものである。
【課題を解決するための手段】
【０００５】
本発明は、以下の内容を要旨とする。すなわち、
【０００６】
（１）浴室内に設置されるミストサウナシステムであって、装置運転時に浴室内を微少負圧に維持する負圧維持手段を備えて成ることを特徴とするミストサウナシステム。
【０００７】
本発明により、装置運転中は常に浴室内を負圧に維持することができるため、浴室外への湿気流出を低減し、カビの発生も防止できる。但し、負圧度を高くしすぎると、特に冬期は入浴者に冷風による不快感を与えるため、本発明では冷風感を感じない程度の微少負圧に維持するものである。
【０００８】
本発明において、「ミストサウナシステム」とは、ミスト発生装置及び浴室に設置される負圧維持手段を含む概念である。
【０００９】
「微少負圧」とは、入浴者に冷風感を感じさせない程度の気流を維持する程度の負圧をいう。
【００１０】
（２）上記（１）において、さらに、運転停止後も所定の時間、浴室内を微小負圧に維持する負圧維持手段を備えて成ることを特徴とするミストサウナシステム。
【００１１】
浴室内に滞留するミストを除去するためには、ミストサウナ運転停止後も一定時間浴室内を微少負圧に維持することが有効である。その時間は、浴室広さ、ミスト発生量等を勘案して適切な時間を設定することができる。
【００１２】
（３）前記負圧維持手段は、浴室内に設置される浴室内換気ファンを含んで成ることを特徴とする（１）又は（２）に記載のミストサウナシステム。
【００１３】
「負圧維持手段」として浴室内換気ファンを用いることができる。ここに用いる浴室内換気ファンは、浴室の天井等に単独に設置するものであってもよく、又は、浴室暖房乾燥機等に組み込まれたものであってもよい。換気ファンで吸引したミストは、ダクト等により屋外に排出する必要がある。
【００１４】
負圧維持手段は、ミスト発生装置の運転と連動して稼働させることもできる。
【００１５】
（４）前記負圧維持手段は、浴室に隣接した部屋に設置される換気ファンを含んで成ることを特徴とする（１）又は（２）に記載のミストサウナシステム。
【００１６】
「負圧維持手段」として、脱衣室等、浴室に隣接した部屋に設置される換気ファンを用いることもできる。この場合、浴室内を微少負圧に維持するためには、浴室内に設置する換気ファンより大能力の換気ファンが必要となる。
【００１７】
（５）前記負圧維持手段は、浴室内に設置される浴室内換気ファンと、浴室に隣接した部屋に設置される浴室外換気ファンと、を含んで成ることを特徴とする（１）又は（２）に記載のミストサウナシステム。
【００１８】
負圧維持手段としてはさらに、浴室内換気ファンと浴室に隣接した部屋に設置される換気ファンの両方を用いることもできる。この場合においても、浴室外換気ファン浴室内を微少負圧に維持するため、浴室外換気ファンは浴室内換気ファンより大能力のものを用いる必要がある。
【００１９】
（６）前記負圧維持手段は、さらに、浴室内に設置される外気給気口を閉鎖する手段を含んで成ることを特徴とする（１）乃至（５）に記載のミストサウナシステム。
【００２０】
浴室内外気給気口を閉鎖することにより、浴室内換気ファンの稼働により外気が浴室内に導入することを防止でき、微少負圧状態を維持可能となる。
【００２１】
（７）上記請求項（１）乃至（３）、（５）又は（６）に記載のミストサウナシステムにおいて、装置運転時に前記浴室内換気ファンを換気量２０ｍ３／ｈｒ乃至５０ｍ３／ｈｒで稼働させることを特徴とするミストサウナシステムの運転方法。
【００２２】
特に、冬期において入浴者に冷風不快感を与えないためには、換気量２０ｍ３／ｈｒ乃至５０ｍ３／ｈｒ程度にすることが望ましい。
【００２３】
（８）上記（１）、（２）、（４）乃至（６）に記載のミストサウナシステムにおいて、装置運転時に前記浴室外換気ファンを換気量５０ｍ３／ｈｒ乃至１００ｍ３／ｈｒで稼働させることを特徴とするミストサウナシステムの運転方法。
【００２４】
上述の理由から、浴室外換気ファンについては、浴室内換気ファンの換気量より大きいものが必要であり、５０ｍ３／ｈｒ乃至１００ｍ３／ｈｒ程度にすることが望ましい。
【００２５】
（９）上記（１）、（２）、（５）又は（６）に記載のミストサウナシステムにおいて、装置運転時に前記浴室換気ファンを換気量２０ｍ３／ｈｒ乃至５０ｍ３／ｈｒで稼働させ、かつ、前記浴室外換気ファンを換気量５０ｍ３／ｈｒ乃至１００ｍ３／ｈｒで稼働させることを特徴とするミストサウナシステムの運転方法。
【００２６】
（１０）上記（７）乃至（９）において、さらに、装置運転時に外気給気口を閉鎖することを特徴とするミストサウナシステムの運転方法。
【発明の効果】
【００２７】
本発明により、浴室ミストサウナ使用により生じる湿気の他の部屋への流出を防止することができるとともに、入浴者は気流による冷風感を感じることなくサウナを楽しむことができるという効果がある。
【発明を実施するための最良の形態】
【００２８】
以下、本発明に係るミストサウナシステムの実施形態について、図１乃至５を参照してさらに詳細に説明する。なお、重複を避けるため、各図において同一構成には同一符号を用いて示している。なお、本発明の範囲は特許請求の範囲記載のものであって、以下の実施形態に限定されないことはいうまでもない。
【００２９】
（第一の実施形態）
図１は、本発明の第一の実施形態に係るミストサウナシステム１の全体構成を示すものである。同図において、ミストサウナシステム１は、浴室３の天井部に設置されるミスト発生装置２、換気ファン５、換気ファン５に接続する排気ダクト１１を備えている。浴室３に接して隣室の脱衣室４が配置されており、両室はドア７で仕切られている。ドア７の下部にはガラリ８が設けられており、脱衣室４内の空気が浴室３に流入可能に構成されている。また、脱衣室４の下部にはガラリ９が設けられており、他の室内空間から空気が流入可能に構成されている。なお、図示はしないが、脱衣室４にはミスト発生装置２のリモコン制御部が設けられており、ミスト発生装置２運転開始に連動して換気ファン５が稼動するように構成されている。
【００３０】
図２は、ミスト発生装置２の詳細を示す図である。筐体２ａの内部には熱交換器１５を備えており、給水ライン１７から供給される水道水は、熱交換器１５において、温水暖房回路１６を介して熱源機（図示せず）から供給される温水と熱交換して温水となる。温水はノズル６に導かれ、そこから浴室３内に噴霧されるように構成されている。
【００３１】
次に、本実施形態のミストサウナ運転時のミスト及び浴室３、脱衣室４の空気の挙動について説明する。給水ライン１７を介して供給される水道水は、熱交換器１５で温められノズル６から噴出され、浴室３内に噴霧される。ミストサウナシステム運転開始に連動して換気ファン５が稼動開始する。換気ファン５の換気量は約２０ｍ３／ｈｒ〜５０ｍ３／ｈｒに設定されている。換気ファン５の換気作用により、浴室内は微少負圧に維持される。この作用により、脱衣室４内の空気がガラリ８を経由して浴室３に流入する。浴室３内のミストを含んだ空気は、換気ファン５に吸い込まれ、排気ダクト１１を経由して外部に排出される。脱衣室４には、他の室内空間からガラリ９を介して空気が流入する。
【００３２】
次に、図５をも参照してこの間の装置の制御について説明する。ミスト発生装置２の運転開始の信号受信を判断する（Ｓ１０１）。信号を検知すると換気ファン５を稼働開始させる（Ｓ１０２）。この状態でミスト発生装置２の運転停止信号を監視しつつ運転が継続する（Ｓ１０３）。信号を検知すると次に所定時間（例えば１０分間）経過したかが判断され（Ｓ１０４）、経過した場合には換気ファン５を停止する（Ｓ１０５）。
【００３３】
（第二の実施形態）
【００３４】
図３は、本発明の第二の実施形態に係るミストサウナシステム２０の全体構成を示すものである。本実施形態が上述の実施形態に係るミストサウナシステム１と異なる点は、ミストサウナシステム２０では換気ファン２２が浴室３ではなく、隣室の脱衣室４に設置されていることである。また、換気ファン２２の換気量が上述の実施形態における換気ファン５に比して大きく、約５０ｍ３／ｈｒ〜１００ｍ３／ｈｒに設定されている。さらに、浴室３側壁に外気と通じる開放窓２１を備えていることである。開放窓２１はミスト発生装置２の運転と連動して開閉可能なシャッターが設けられている。その他の構成は、第一の実施形態と同一であるので説明を省略する。
【００３５】
次に本実施形態におけるミストサウナ運転時のミスト及び室内空気の挙動について説明する。給水ライン１７を経由して供給される水道水は、熱交換器１５で熱交換して温められ、さらにノズル６から浴室３内に噴霧される。運転開始に連動して換気ファン２２が稼動開始する。さらに、開放窓２１のシャッターが閉じられる。これにより浴室内への外気導入が遮断される。
【００３６】
換気ファン２２による室内空気吸引作用により脱衣室４内が負圧となる。さらに、換気ファン２２の換気量が十分大きいため、ガラリ８を介して浴室３内の空気が脱衣室４内に導かれる。これに随伴して、ノズル６から噴霧されたミストも脱衣室４内に吸引される。吸引された浴室内空気及びミストは脱衣室４に滞留することなく、直ちに換気ファン２２により吸引され、排気ダクト２３を経由して屋外に排出される。その際、開放窓２１のシャッターが閉じられているため、外気は浴室３内に導入されない。このため、脱衣室４と浴室３はほぼ同圧（微少負圧）に維持されることになる。
【００３７】
なお、本実施形態においてもミスト発生装置２の運転停止後、所定時間経過した後に換気ファン２２が停止する。
【００３８】
（第三の実施形態）
【００３９】
図４は、本発明の第三の実施形態に係るミストサウナシステム３０の全体構成を示すものである。本実施形態が上述の各実施形態に係るミストサウナシステムと異なる点は、ミストサウナシステム３０では、浴室３及び隣室の脱衣室４の両室に換気ファン３１及び３２を備えていることである。換気ファン３１の換気風量は約２０ｍ３／ｈｒ〜５０ｍ３／ｈｒに設定され、また換気ファン３２の換気風量は約５０ｍ３／ｈｒ〜１００ｍ３／ｈｒに設定されている。なお、浴室３側壁に外気と通じる開放窓２１を備えており、ミスト発生装置２の運転と連動して開閉可能なシャッターが設けられている点は、上述の各実施形態と同一である。
【００４０】
次に本実施形態におけるミストサウナ運転時のミスト及び室内空気の挙動について説明する。給水ライン１７を経由して供給される水道水は、熱交換器１５で熱交換して温められ、ノズル６から浴室３内に噴霧される。運転開始に連動して換気ファン３１、３２が稼動開始する。さらに、開放窓２１のシャッターが閉じられ、浴室３への外気導入が遮断される。
【００４１】
換気ファン３１の吸気作用により浴室３内は微少負圧に維持される。浴室上部の空気及びミストの一部は換気ファン３１に吸い込まれ、排気ダクト３３を経由して屋外に排出される。さらに、換気ファン３１の換気量が大きいため浴室下部のミストを含んだ空気の一部は、ガラリ８を経由して脱衣室４内に導かれ、さらに、換気ファン３２により吸引されて排気ダクト３３を経由して外部に排出される。
【００４２】
（第四の実施形態）
【００４３】
本発明の第四の実施形態に係るミストサウナシステム４０の全体構成を図６に示す。本実施形態が上述の各実施形態に係るミストサウナシステムと異なる点は、ミストサウナシステム４０では、負圧維持手段として浴室３内に設置された換気機能付浴室暖房乾燥機４１を備えていることである。
【００４４】
図７は、浴室暖房乾燥機４１の詳細を示す図である。浴室暖房乾燥機４１は、隔壁５０、５１により区画される暖房乾燥部４１ｃ、浴室内換気部４１ｂ、局所換気部４１ａの３つの部分により構成されている。隔壁５０の気密性は低く設定されているため、暖房乾燥部４１ｃと浴室内換気部４１ｂ間は空気の流通が可能に構成されている。浴室内換気部４１ｂと局所換気部４１ａとの隔壁５１にはシャッター４９が設けられている。シャッター４９は開度可能に構成されており、後述するように浴室３からの換気量を制御することができる。暖房乾燥部４１ｃ内部には、熱交換器４６及び循環ファン４７が設けられており、浴室暖房時には熱交換器４６に温水が通水され、循環ファン４７の稼働により暖房乾燥部４１ｃ内部に吸い込まれる浴室内空気は、熱交換器４６で暖められて浴室内に戻されるように構成されている。但し、本実施形態では温水循環を行わないため、これ以上の説明を省略する。暖房乾燥部４１ｃの下部にはルーバ４８ａ、４８ｂが設けられている。同図に示すように、ルーバ４８ｂは後述の換気時には閉じて還流を防止するように構成されている。
【００４５】
局所換気部４１ａ内部には換気ファン４５及び換気ダクト４４が設けられている。局所換気部４１ａにはダクト４２、４３が接続されており、隣室の脱衣室４及び不図示のトイレからダクト４２、４３を介して導かれる換気が、浴室３からの換気とともに換気ファン４５及び換気ダクト４４を介して屋外に排出されるように構成されている。
【００４６】
次に本実施形態におけるミストサウナ運転時のミスト及び浴室内空気の挙動について説明する。ミスト発生装置２の運転開始に連動してシャッター４９が開き、換気ファン４５が稼動する。さらに、ルーバ４８ｂが閉じられる。換気ファン４５の吸気作用により浴室内のミスト随伴空気はルーバ４８ａ、４８ｃから吸い込まれ、シャッター４９を経由して局所換気部４１ａに導かれる。さらに、換気ファン４５、排気ダクト４４を経由して屋外に排出される。同時に、脱衣室４及びトイレからダクト４２、４３を介して導かれる換気も換気ファン４５及び換気ダクト４４を経由して屋外に排出される。なお、換気ファン４５の換気量は、シャッター４９の開度調整により浴室３からの換気量が約２０ｍ３／ｈｒ〜５０ｍ３／ｈｒに、脱衣室４からの換気量が約５０ｍ３／ｈｒ〜１００ｍ３／ｈｒになるように設定されている。このように、換気ファン４５の吸気作用により浴室３内は微少負圧に維持される。
【００４７】
なお、本実施形態では換気ファン４５の稼働をミストサウナ運転開始に連動する形態としたが、これに限らず常時換気とし、シャッター４９のみ連動とすることもできる。
【００４８】
また、本実施形態では換気機能と浴室暖房乾燥機機能を一体の構成としたが、これに限らず換気機能部分を独立の構成とすることもできる。
【産業上の利用可能性】
【００４９】
本発明は、浴室内に設置するミスト発生装置を用いたミストサウナシステムに広く利用できる。
【図面の簡単な説明】
【００５０】
【図１】本発明の第一の実施形態に係るミストサウナシステム１を示す図である。
【図２】ミスト発生装置２の詳細を示す図である。
【図３】本発明の第二の実施形態に係るミストサウナシステム２０を示す図である。
【図４】本発明の第三の実施形態に係るミストサウナシステム３０を示す図である。
【図５】第一の実施形態における運転開始から停止に至る各部動作のフローを示す図である。
【図６】本発明の第四の実施形態に係るミストサウナシステム４０を示す図である。
【図７】換気機能付浴室暖房乾燥機４１の詳細を示す図である。
【符号の説明】
【００５１】
１、２０、３０、４０・・・・・・ ミストサウナシステム
２・・・・・・ ミスト発生装置
５、２２、３１、４５・・・・・・  換気ファン
２３、３３、４４・・・・・・ 排気ダクト
４１・・・・・・ 浴室暖房乾燥機
４７・・・・・・ 循環ファン
【図１】
2005204713.tif 000003
【図２】
2005204713.tif 000004
【図３】
2005204713.tif 000005
【図４】
2005204713.tif 000006
【図５】
2005204713.tif 000007
【図６】
2005204713.tif 000008
【図７】
2005204713.tif 000009